(57)【特許請求の範囲】
【請求項１】
セルラ移動無線通信網の基地局（ＢＳｎ）から送信され、無線チャネルを介して伝送されるデータ流への同期化のための手段（１０）を有する移動無線通信装置において、
特定の受信レベル（ｌｅｖｅｌｎ）を有する第１の無線チャネルへの同期化のための同期化試行が失敗した後、当該の第１無線チャネルへの同期のための再度の試行が、前記第１無線チャネルの受信レベル（ｌｅｖｅｌｎ）に依存する時間遅延（ｄｎ）の後、行われるように構成されていることを特徴とする移動無線通信装置。
【請求項２】
所定の時間遅延最小値（ＭＩＮ＿ＤＥＬＡＹ＿ＩＤＬＥ）と２つのレベル間のレベル差（ｌｅｖｅｌｓｅｒｖ−ｌｅｖｅｌｎ）に比例する値との和により、第１の無線チャネルの受信レベル（ｌｅｖｅｌｎ）によって、時間遅延（ｄｎ）が形成され、前記の２つのレベル間の差（ｌｅｖｅｌｓｅｒｖ−ｌｅｖｅｌｎ）は、その時点で接続が形成されている第２チャネルの受信レベル（ｌｅｖｅｌｓｅｒｖ）と、第１チャネルの受信レベル（ｌｅｖｅｌｎ）との差であることを特徴とする請求項１記載の移動無線通信装置。
【請求項３】
前記時間遅延（ｄｎ）は、第１の無線チャネルへの同期化のための同期化試行失敗のそれまでの数に依存し、及び／又は、それに対して移動無線装置が既に同期化されている無線チャネルの数（ｍｎｅｉｇｈ）に依存することを特徴とする請求項１又は２記載の移動無線通信装置。
【請求項４】
前記時間遅延（ｄｎ）は、所定の時間遅延最小値（ＭＩＮ＿ＤＥＬＡＹ＿ＩＤＬＥ）と、第１無線チャネルへの同期化のための試行失敗の数（ｍｅｒｒ）に比例する値との和より形成されることを特徴とする請求項３記載の移動無線通信装置。
【請求項５】
前記時間遅延（ｄｎ）は、所定の時間遅延最小値（ＭＩＮ＿ＤＥＬＡＹ＿ＩＤＬＥ）と、それに移動無線端末装置がすでに同期化されている無線チャネルの数（ｍｎｅｉｇｈ）に比例する値との和により形成されることを特徴とする請求項３又は４記載の移動無線通信装置。
【請求項６】
時間遅延（ｄｎ）は、それに第１無線チャネルの割当られている基地局（ＢＳｎ）に対する相対的な移動無線端末装置の速度に依存することを特徴とする請求項１から５までのうち１項記載の移動無線通信装置。
【請求項７】
時間遅延（ｄｎ）は、所定の時間遅延最小値（ＭＩＮ＿ＤＥＬＡＹ＿ＩＤＬＥ）と、反比例する値との和により定まるものであり、前記の反比例する値は、それに第１無線チャネルの割当られている基地局（ＢＳｎ）に対する相対的な移動無線端末装置の速度（Ｖ）に対しての関係性を有するものであることを特徴とする請求項６項記載の移動無線通信装置。
【請求項８】
時間遅延（ｄｎ）は、適合化されるように構成され、当該の適合化された遅延（ｄｎ，ｎｅｗ）は、先行の遅延（ｄｏｌｄ）と、直前の２つの受信レベル測定に由来する受信レベルの差（ｌｅｖｅｌｏｌｄ−ｌｅｖｅｌｎｅｗ）に依存することを特徴とする請求項１から７までのうち１項記載の移動無線通信装置。
【請求項９】
適合化された時間遅延（ｄｎ，ｎｅｗ）は、先行の時間遅延（ｄｏｌｄ）と、差に比例する値との和であり、前記の差は、直前の２つの受信レベル測定に由来する受信レベルの差（ｌｅｖｅｌｏｌｄ−ｌｅｖｅｌｎｅｗ）であることを特徴とする請求項８記載の移動無線通信装置。
【請求項１０】
セルラ移動無線通信網の基地局（ＢＳｎ）により送信され、無線チャネルを介して伝送されるデータ流との同期化のための手段（１０）を有する移動無線通信装置において、
無線チャネルとの同期化試行失敗につづいて、時間遅延（ｄｎ）の後、当該の無線チャネルとの再度の同期化の試行が行われるように構成されており、前記の時間遅延（ｄｎ）は、第１無線チャネルとの同期化における試行失敗の数（ｍｅｒｒ）に依存するものであることを特徴とする移動無線通信装置。
【請求項１１】
セルラ移動無線通信網の基地局（ＢＳｎ）により送信され、無線チャネルを介して伝送されるデータ流との同期化のための手段（１０）を有する移動無線通信装置において、
無線チャネルとの同期化試行失敗につづいて、時間遅延（ｄｎ）の後、当該の無線チャネルとの再度の同期化の試行が行われるように構成されており、前記の時間遅延（ｄｎ）は、それに対して移動無線通信装置がすでに同期化されている無線チャネルの数（ｍｎｅｉｇｈ）に依存するものであることを特徴とする移動無線通信装置。
【請求項１２】
セルラ移動無線通信システムにおいて、
請求項１から１１までのうちいずれか１項記載の少なくとも１つの移動無線通信装置を有することを特徴とする移動無線通信システム。
【発明の詳細な説明】
【０００１】
【発明の属する技術分野】
本発明は、セルラ移動無線通信網の基地局から送信され、無線チャネルを介してデータ流への同期化のための手段を有する移動無線通信装置及び移動無線通信システムに関する。
【０００２】
【従来の技術】
ＧＳＭ移動無線システム（Ｇｌｏｂａｌ  Ｓｙｓｔｅｍ  ｆｏｒ  Ｍｏｂｉｌｅ  Ｃｏｍｍｕｎｉｃａｔｉｏｎｓ）は、複数の無線セルから成るネットワークを有する。各無線セルは、そのような無線セル中に存在する移動無線端末装置向けの無線信号を送出する基地局を有する。ここで、基地局と移動無線端末装置との間のデータトラヒックはＴＤＭＡ多重技術（ｔｉｍｅ  Ｄｉｖｉｓｉｏｎ  Ｍｕｌｔｉｐｌｅ  Ａｃｃｅｓｓ）の適用下で無線チャネルを介して行われる。移動無線端末装置のユーザがそれの機器と共に或る１つの無線セルから隣接セルへ移動する場合、中断せずに少なくとも１つの基地局への双方向性無線接続（リンク）が、誤りのないデータ交換を行うのに十分な品質で行えるようにしなければならない。このために動作中に移動無線システムの可用のすべてのＲＦチャネル（Ｒａｄｉｏ  Ｆｒｅｑｕｅｎｃｙ  ｒａｄｉｏ  ｃｈａｎｎｅｌｓ）を監視する（参照ＧＳＭ  ０５．０８，  ＤＲＡＦＴ  ｐｒ  ＥＴＳ  ３００  ５７８  Ｍａｒｃｈ  １９９５，  Ｓｅｃｏｎｄ  Ｅｄｉｔｉｏｎ，）．上記の可用のＲＦチャネルに就いては下記の従来技術も関連している；ＧＳＭ勧告の他の部分が引用される場合には、１９９５年３月のそれぞれのバージョンを意味する）。ここにおいて、当該の監視中ＲＦチャネルが測定され、そして１つのＲＦチャネルの複数の測定された受信レベルから１つの平均受信レベルが決定される。１つの無線セルのセレクション又はリセレクション（ｃｅｌｌ  ｓｅｌｅｃｔｉｏｎ  ｏｒ  ｃｅｌｌ  ｒｅｓｅｌｅｃｔｉｏｎ，）の目的のため、換言すれば、そのような無線セルの、基地局への接続の形成のため、移動無線端末装置は、基地局から送信される所謂ＢＣＣＨ（Ｂｒｏａｄｃａｓｔ  Ｃｏｎｔｒｏｌ  ＣＨａｎｎｅｌ）の搬送周波数と同期化し、そして、ＢＣＣＨデータをリード（ｒｅａｄ）できなければならない。該ＢＣＣＨデータは、システム情報及び所謂ＢＳＩＣ（Ｂａｓｅ  Ｔｒａｎｓｃｅｉｖｅｒ  Ｓｔａｔｉｏｎ  Ｉｄｅｎｔｉｔｙ  Ｃｏｄｅ，  Ｂａｓｅ  Ｓｔａｔｉｏｎ  Ｔｒａｎｓｃｅｉｖｅｒ  Ｃｏｄｅ）を包含する。標準化されたＧＳＭ勧告によれば１つの無線移動端末装置は、少なくとも３０秒ごとに１つの"ｓｅｒｖｉｎｇ  ｃｅｌｌ"のＢＳＩＣをデコーディングすることを試みる。更に、１つの無線移動端末装置が少なくとも３０秒ごとに最大の平均受信レベルを有する他の無線セルのＢＳＩＣをチェックする。ＢＳＩＣは、同期化バースト（ＳＢ）と称される信号束を用いてＢＣＣＨを介して伝送される。受信レベル評価及びＢＳＩＣの評価に基づき、場合により、所謂"ｃｅｌｌ  ｃｈａｎｇｅ"機能が実施され、該"ｃｅｌｌ  ｃｈａｎｇｅ"機能では、"ｓｅｒｖｉｎｇ  ｃｅｌｌ"の機能が、他の１つの無線セルへ移行する。
【０００３】
ＢＣＣＨ−搬送周波への同期化及びＢＳＩＣデコーディングの過程はエネルギを要し、そして、移動無線端末装置のエネルギ蓄積器を負荷する。概して蓄電池が、エネルギ蓄積器として使用される。まさに移動無線端末装置により、このことはクリティカルな点である。１つの移動無線端末装置の作動のためのエネルギ消費が僅かであればある程、蓄電池の新たな充電の必要になるまでのそのような移動無線端末装置の作動時間がそれだけ益々長くなり、その結果、ユーザの使い易さは増大する。
【０００４】
【発明が解決しようとする課題】
本発明の課題とするところは、従来の移動無線端末装置に比してそのエネルギ消費が低下し、かつユーザにとって移動無線端末装置の機能が損なわれることがない移動無線端末装置を提供することである。
【０００５】
【課題を解決するための手段】
上記課題の解決のため、本発明によれば、セルラ移動無線通信網の基地局から送信され、無線チャネルを介してデータ流への同期化のための手段を有する移動無線通信装置において、
特定の受信レベルを有する第１の無線チャネルへの同期化のための同期化失敗の後、当該の第１無線チャネルへの同期のための再度の試行が前記第１無線チャネルの受信レベルに依存する時間遅延の後、行われるように構成される。
【０００６】
第１無線チャネルの受信レベルが僅かであればある程、所属の基地局又は無線セルが"ｒｅｓｅｌｅｃｔｉｏｎ／ｃｅｌｌ  ｃｈａｎｇｅ"のための"ｓｅｒｖｉｎｇ  ｃｅｌｌ"として想定される確率はそれだけ益々小となる。受信レベルの低下は、送信基地局への距離の増大により、又は地形の特徴（フェージング効果）に基づく無線信号減衰によっても惹起され得る。受信レベルの低下の場合時間遅延が増大されるので、移動無線端末装置の電力消費が低減され、ここで、移動無線端末装置の"ｒｅｓｅｌｅｃｔｉｏｎ／ｃｅｌｌ  ｃｈａｎｇｅ"機能が大して損なわれることはない。ことに、第１チャネルの複数の測定された受信レベルから１つの平均値が形成され、ここで、時間遅延は、当該の平均値に依存する。以て、移動無線端末装置のスタンバイ時間が増大する。
【０００７】
殊に時間遅延は、次のようにして形成される、即ち、時間遅延を求めるため、所定の時間遅延最小値と２つのレベル間のレベル差に比例する値と、第１の無線チャネルの受信レベル（ｌｅｖｅｌｎ）とが用いられ、前記の２つのレベル間の差は、その時点で接続が形成されている第２チャネルの受信レベルと、第１チャネルの受信レベルとの差であるように構成されているのである。時間遅延が計算されるちょうどその時点では、第２の無線チャネルを介して移動無線端末装置と"ｓｅｒｖｉｎｇ  ｃｅｌｌ"との間に接続が形成されている。第１無線チャネルの受信レベルの増大と共に、上記の差、ひいては時間遅延が低下される。よって、時間遅延最小値は、ＧＳＭシステムにおいて、ＧＳＭ勧告による時間遅延の下限の限界を表す。
【０００８】
本発明の実施形態では、前記時間遅延は、試行失敗のそれまでの数に依存し、及び／又は、それに対して移動無線装置が既に同期化されている無線チャネルの数に依存するのである。
【０００９】
第１無線チャネルへの同期化のための試行失敗の数が大であればある程、第１無線チャネルへの同期化が可能である確率は、益々小になる。第１無線チャネルに所属する無線セルが"ｃｅｌｌ  ｃｈａｎｇｅ"のため選ばれる確率は、著しく小である。そのようにして移動無線端末装置が既に同期化されている無線チャネルの数の増大と共に、なお付加的無線チャネルへ移動無線端末装置を同期化する重要性は一層わずかになる。それというのは"ｃｅｌｌ  ｃｈａｎｇｅ"誤り機能動作の確率は、既に相応に著しく低減されているからである。双方の場合において、次の同期化試行までの時間遅延の増大により"ｃｅｌｌ  ｃｈａｎｇｅ"機能の誤りが発生する確率は、一層低減されるのである。それと同時に移動無線端末装置の電力消費の更なる低減が達成される。
【００１０】
先立って考察した如く、有利には、時間遅延の形成、決定は、次のようにして行われる、即ち、一方では、所定の時間遅延最小値と、第１無線チャネルへの同期化のための試行失敗の数に比例する値との和が前記時間遅延の決定要因として用いられるようにして行われるのであり、他方では、所定の時間遅延最小値と、それに移動無線端末装置がすでに同期化されている無線チャネルの数に比例する値との和が前記時間遅延の決定要因としてとして用いられるのである。そのことにより、時間遅延を求めるための簡単な関係式が得られる。ＧＳＭ勧告において要求されるような最小時間遅延が確保される。
【００１１】
本発明の他の実施形態では、時間遅延は、それに第１無線チャネルの割当られている基地局に対する相対的な移動無線端末装置の速度に依存するのである。当該相対速度が大であればある程、次のことを確保するのに要する時間遅延は、それだけ益々小である、即ち、無線セルのｓｅｌｅｃｔｉｏ又はｒｅｓｅｌｅｃｔｉｏｎ及び所属の同期化が、或無線セル内に入ってから当該の無線セルに関して最大の受信レベルの達せられる時点よりできるだけ前に行われることを確保するのに要するそれぞれの時間遅延が益々小になる。その際、そこにおいて、移動無線端末装置が十分な品質で、そのような無線セル内で可用になる期間が延長される。有利には移動無線端末装置と基地局との間の相対速度が次のようにして考慮される、即ち、時間遅延は、所定の時間遅延最小値と、反比例する値との和により定まるものであり、前記の反比例する値は、それに第１無線チャネルの割当られている基地局対する相対的な移動無線端末装置の速度に反比例する値であるように構成されているのである。それにより、時間遅延の計算が簡単に実施、具現化し得るように変形修正される。
【００１２】
本発明の別の実施形態では、時間遅延は、適合化されるように構成され、当該の適合化された遅延は、先行の遅延と、直前の２つの受信レベル測定に由来する受信レベルの差に依存するのである。そのようにして時間遅延は、移動無線端末装置の個所においての第１無線チャネルの受信レベルの任意の変化に適合され得る。殊に、当該の適合は次のようにして実現される、即ち、適合化された時間遅延は、先行の時間遅延と、比例する値との和であり、前記の比例する値は、直前の２つの受信レベル測定に由来する受信レベルの差であるように構成されているのである。受信レベル低下の場合は、時間遅延は高められ、そして、受信レベル増大の場合は遅延時間は低められ、その結果、無線チャネルでは受信レベルの増大と共に次の同期化試行までの期間が短縮される。それというのは、そのような無線チャネルが"ｃｅｌｌ  ｃｈａｎｇｅ"のために適するようになる確率は、受信レベルの増大と共に大になるからである。
【００１３】
本発明はまた、同じく次のようなことを特徴事項とする冒頭に述べた形式の移動無線装置にも関するのである。即ち、セルラ移動無線通信網の基地局（ＢＳｎ）により送信され、無線チャネルを介して伝送されるデータ流との同期化のための手段を有する移動無線通信装置において、無線チャネルとの同期化試行失敗につづいて、遅延の後、当該の無線チャネルとの再度の同期化の試行が行われるように構成されている、前記の遅延は、第１無線チャネルとの同期化における試行失敗の数に依存するものであり、又は、セルラ移動無線通信網の基地局により送信され、無線チャネルを介して伝送されるデータ流との同期化のための手段を有する移動無線通信装置において、無線チャネルとの同期化試行失敗につづいて、遅延の後、当該の無線チャネルとの更なる引き続いての同期化の試行が行われるように構成されている、前記の遅延は、第１無線チャネルとの同期化における試行失敗の数に依存するものであるように構成されているのであり、ここで、無線チャネルの受信レベルが、時間遅延の計算に悪影響を及ぼさないようになる。それらの手段によっても、移動無線装置の電力消費の低減が得られる。
【００１４】
本発明はまた、セルラ移動無線システムに係わり、殊に、本発明の移動無線装置を利用できるＧＳＭ移動無線システムにも関する。
【００１５】
次に図示の実施例を参照して本発明の前述の側面、特徴及び他の側面をも詳述する。
【００１６】
【実施例】
図１に示す移動無線端末装置１は、プログラムメモリ２（たとえばＥＰＲＯＭ又はＰＲＯＭ）と、リード／ライトメモリ３（ＲＡＭ）と、デジタル信号プロセッサ（ＤＳＰ）を用いて実現される機能ユニット４（これは、信号処理アルゴリズム）の変換に用いられる）を有する。殊に、機能ユニット４は、音声処理、チャネルコーディング／デマルチプレクス機能を引き受ける。本発明の移動無線端末装置は、殊に、セルラ移動通信網に対するＧＳＭ移動通信標準による装置であり、その結果、当該の実施例では、マルチプレクス／デマルチプレクス方式としてはＴＤＭＡ方式（Ｔｉｍｅ  Ｄｉｖｉｓｉｏｎ  Ｍｕｌｔｉｐｌｅｘ  Ａｃｃｅｓｓ"）が適用される。移動無線端末装置１の動作中、プログラムメモリ２、リード／ライトメモリ３及び機能ユニット５は、制御ユニット５と交信し、該制御ユニットは、マイクロプロセッサ技術で実現されており、移動無線装置１におけるすべてのプログラム実行を制御する。
【００１７】
更に、移動無線端末装置１は、送信／受信ユニット（トランシーバ）６を有し、該送信／受信ユニットは、アンテナ７を介しての無線信号の送、受信に用いられる。トランシーバ６は、受信された無線信号を直交成分Ｉ及びＱに変換するために用いられる。上記直交成分は、Ａ／Ｄ変換器８を用いてデジタル信号に変換され、該デジタル信号はその後、処理のため機能ユニット４に供給される。更にＡ／Ｄ変換器９も設けられており、該Ａ／Ｄ変換器は、機能ユニット４から送出されるデジタル信号を直交成分Ｉ及びＱに変換するため用いられ、該直交成分Ｉは、トランシーバ６によりアンテナ５を介して送信すべき無線信号に変換される。
【００１８】
移動無線端末装置１はまた、所定の無線チャネル上でトランシーバ６及び無線ユニット４の同期化のため用いられる同期化ユニット１０をも有する。上記の所定無線チャネルを介しては、その都度無線信号が、セルラ移動無線網の基地局から送信される。同期化ユニット１０は、トランシーバ６内に統合されてもよい。本発明の理解に重要でない他のコンポーネントは、分かり易さのため示してない。
【００１９】
次に、本発明の詳細説明のためＧＳＭ勧告による実施例として移動無線端末装置１を詳述する。
【００２０】
所謂アイドルモードでは移動無線端末装置１は、該移動無線端末装置１自体がその時点で位置している作用領域または無線セルを有するセルラ移動無線網（ＰＬＭＮ）からシステム情報を受信する。システム情報を用いて、移動無線端末装置１はまた、該移動無線端末装置１がその時点で位置する無線セルの隣接セルについての情報をも受信する。それらの情報は、システム情報を送信する基地局において、所謂ＢＡリスト内に格納される。ＢＡリストを用いては、隣接セルに、無線周波数チャネル番号（"ＡＲＦＣＮ"  Ａｂｓｏｌｕｔｅ  Ｒａｄｉｏ  Ｆｒｅｑｕｅｎｃｙ  Ｃｈａｎｎｅｌ  Ｎｕｍｂｅｒ）が割当られる。各ＡＲＦＣＮは、移動無線端末装置１と当該の基地局との間の通信を行うための無線チャネルを規定する。ＲＲＭ（"Ｒａｄｉｏ  Ｒｅｓｏｕｒｃｅ  Ｍａｎａｇｅｒ"）と称されるソフトウエアモジュールは、"Ｓｅｒｖｉｎｇ  Ｃｅｌｌ"及びこれに所属する隣接セルの電界強度を制御する。ＲＲＭの機能は、接続コントロールに機能に関する０３．０．９及び０５．０８によるＧＳＭ仕様と、いわゆる第１層プロトコルを記述するＧＳＭ仕様０４．０４に詳述されている。
【００２１】
ＣＳＭ仕様０５．０８において定められているところによれば、"Ｓｅｒｖｉｎｇ  Ｃｅｌｌ"のＢＳＩＣは、少なくとも３０秒ごとに、リード（ｒｅａｄ）されなければならない。６つの最大の受信レベルを有する隣接セルのＢＳＩＣは、移動無線通信端末装置１により同様に３０秒ごとにリードされなければならない。ここで、ＲＲＭにより制御される、５秒ごとに実施すべき受信レベル測定は、トランシーバ６内の測定装置（詳細には図示せず）により行われる。測定レベルの評価は、ＲＲＭにより制御される機能ユニット４を介して行われる。ここで、無線チャネルに関しての記憶された受信レベル値の更新が、殊に、先行の受信レベル値と測定された受信レベル値との計算上の平均値の形成により行われる。
【００２２】
ｌｅｖｅｌｎｅｗ＝（ｌｅｖｅｌｏｌｄ＋ｌｅｖｅｌｍｅａｓ）／２
但し  ｌｅｖｅｌｎｅｗ＝更新された、新たな受信レベル値
ｌｅｖｅｌｏｌｄ＝先行の記憶された受信レベル値
ｌｅｖｅｌｍｅｓｓ＝測定された受信さレベル値
そのようにして、著しいレベル変動を平滑化する移動平均値が形成される。
【００２３】
基地局のＢＳＩＣのリード（ｒｅａｄ）は、同期化機能ユニット１０を用いての機能ユニット４及びトランシーバ６の、それぞれの無線チャネルへの同期化に関連する。上記の相応の無線チャネルを介して、それぞれのＢＳＩＣが伝送される。同期化機能はＧＳＭ仕様規定０５．１０にて詳細規定されている。それらの機能変換は、無視し得ない電力消費に繋がる。
【００２４】
６つの最高の受信レベルを有する隣接セルのすべての無線チャネルが同期化できるとは限らない事態が起こり得る。例えば、重畳されたノイズ信号、又はフェーシング効果により同期化可能でない状態を惹起し得る。それでも、移動無線端末装置はその種の同期化可能でない無線チャネルに同期化することを試みる。それにより、電力消費の増大、及びスタンバイ時間低減を来す。
【００２５】
この問題を克服するため、或１つの無線セルの同期化不能の検出後、単純に再度の同期化試行を抑圧することも不可能ではない。だからといって、そのようなアプローチは以下のことを保証するものではない、すなわち、１つの所定の事後の時点で全く同期化できることを保証するものでない。それというのは、ノイズ信号及びフェージング効果が時間的に制約されているからである。誤りのある同期化試行と、新たな同期化試行との間の時間的間隔を規定する時間遅延により、問題に比較的良好に対処する技術的実現手法が可能になる。適当な時間遅延の決定について以下説明する。
【００２６】
１つの所定の無線セルｎに割り当てられた１つの無線チャネルに関する時間遅延は、本発明によれば、下記のことに依存する、すなわち、当該のチャネルにの受信レベルｌｅｖｅｌｎと、無線セル割り当てられた無線チャネルへの同期化試行の失敗の数と、移動無線端末装置１が既に同期化されている所属の無線チャネルを有する無線セルｎの隣接チャネルの数とに依存する。従って、以下ｄｎで表される時間遅延は次のように求められる。
【００２７】
１．  Ｉｆ  ｌｅｖｅｌｓｅｒｖ＜ｌｅｖｅｌｎ，ｔｈｅｎ  ｄｎ＝ＭＩＮ＿ＤＥＬＡＹ＿ＩＤＬＥ
２．  Ｉｆ  ｌｅｖｅｌｓｅｒｖ≧ｌｅｖｅｌｎ，ｄｎは、次の関係式により計算される。
【００２８】
ｄｎ＝ＭＡＸ＿ＤＥＬＡＹ＿ＩＬＤＥ・ＣＬ・Ｃ２・Ｃ３＋ＭＩＮ＿ＤＥＬＡＹ＿ＩＤＬＥ
Ｃ１＝（ｌｅｖｅｌｓｅｒｖ−ｌｅｖｅｌｎ）／（ＭＡＸ＿ＬＥＶＥＬ＿ＧＳＭ＿ＲＸＬＥＶ＿ＡＣＣ＿ＭＩＮ）
Ｃ２＝ｍｅｒｒ／（ＭＡＸ＿ＳＹＮＣ＿ＥＲＲ＿ＩＤＬＥ）
Ｃ３＝ｍｎｅｉｇｈ／（  ＭＡＸ＿ＳＹＮＣ＿ＣＥＬＬ＿ＩＤＬＥ）
３．  Ｉｆ  ｄｎ＞Ｍａｘ＿ＤＥＬＡＹ＿ＩＤＬＥ，ｔｈｅｎ  ｄｎ＝Ｍａｘ＿ＤＥＬＡＹ＿ＩＤＬＥ
使用された略称は下記の意味を有する。
【００２９】
ｄｎ＝無線セルｎに割当られた無線チャネルｎ（それぞれのＡＲＦＣＮを有する）に対する遅延
ｌｅｖｅｌｓｅｒｖ＝その時点で、移動無線端末装置１に対する"ｓｅｒｖｉｎｇ  ｃｅｌｌ"としての機能を実行している無線セルｎに関する受信レベル
ｌｅｖｅｌｎ＝無線チャネルの測定受信レベル
ｍｅｒｒ＝無線チャネルｎとの同期化のための移動無線端末装置１の直前の誤りのある試行（試行失敗）の数
ｍｎｅｉｇｈ＝その時点で移動無線端末装置１が同期化した隣接セルの無線チャネルの数
ＭＡＸ＿ＬＥＶＥＬ＿ＧＳＭ＝最大受信レベルＧＳＭ０５．０８，ｃｈａｐｔ
ｅｒ  ８．１．４による（＞−４８ｄｂｍ ＲＸＬＥＶ６３）；
ＲＸＬＥＶ＿ＡＣＣ＿ＭＩＮ＝１つの無線セルに割当てられた無線チャネルを移動無線端末装置１との通信に関して実際に考察した場合の最小受信レベル（＞−１０６ｄｂｍ〜−１０５ｄｂｍの領域中ないしＲＸＬＥＶ６３）
ＭＩＮ＿ＤＥＬＡＹ＿ＩＤＬＥ＝アイドルモードにおける最小遅延、例えば１                                ５秒）；
ＭＡＸ＿ＤＥＬＡＹ＿ＩＤＫＥ＝アイドルモードにおける最大許容遅延（例え                                ば，７５秒）；
ＭＡＸ＿ＳＹＮＣ＿ＣＥＬＬ＿ＩＤＬＥ＝アイドルモードにおける隣接セルの                                        最大数（有利にはｓｅｒｖｉｎｇ  ｓｅｌｌ）のＢＡリストにおける隣接セルの数（３２）に等しい。
ＭＡＸ＿ＳＹＮＣ＿ＥＲＲ＿ＩＤＬＥ＝アイドルモードにおける無線チャネル                                      との同期化のための誤りのある試行（失敗試行）の最大数（例えば１５）。
【００３０】
遅延ｄｎを計算する関係式は、下記の認識事項に基づく。
【００３１】
１．１つの無線チャネルｎに関して受信レベルが小さければ小さい程、以下のような確率が益々それだけ一層わずかになる。即ち、無線チャネルｎに割り当てられた基地局ＢＳｎまたは無線セルが、"ｓｅｒｖｉｎｇ  ｃｅｌｌ"（"ｃｅｌｌ  ｓｅｌｅｃｔｉｏｎ"、ｃｅｌｌ  ｒｅｓｅｌｅｃｔｉｏｎ  ｃｈａｎｇｅ"）として選択または再選択するのに考慮される確率は益々それだけわずかになる。
【００３２】
２．  無線チャネルでの同期化試行不成功の数ｎｅｒｒと共に次のような確率が増大する、即ち、当該無線チャネルとの同期化が可能になる確率が増大する。それに相応して時間遅延ｄｎを大きくすべきである。
【００３３】
３．  移動無線端末装置１の個所における最大の受信レベルを有する６つの無線チャネルのグループのうちから無線チャネル（ここに移動無線端末装置１が首尾よく同期化されている）の数が多ければ多い程、当該の移動無線通信端末装置１の同期化を、前記の６つの無線チャネルのグループのうちの残りの無線チャネルに対して実施することの重要性はそれだけわずかなものになる。この理由により、それに対して、移動無線端末装置が既に同期化されている隣接セルの無線チャネルの数ｍｎｅｉｇｈは比例的に時間遅延ｄｎの決定に関与する。
【００３４】
時間遅延ｄｎを次のようにして簡単に求めることも可能である。即ち、時間遅延ｄｎがすべての３つのパラメータｌｅｖｅｌｎ、ｍｅｒｒ及びｍｎｅｉｇｈに依存しないで、唯パラメータｌｅｖｅｌｎのみ，唯パラメータｍｅｒｒのみ，唯パラメータｍｎｅｉｇｈのみ，唯２つのパラメータｌｅｖｅｌｎ及びｍｅｒｒのみ，唯２つのパラメータｌｅｖｅｌｎ，及びｍｎｅｉｇｈ，又は唯２つのパラメータｍｅｒｒ，及びｍｎｅｉｇｈ，のみに依存するようにして簡単に求め得るのである。勿論、そのように時間遅延ｄｎを決定することにより、スタンバイモードにおける移動無線端末装置１の電力消費の一層の低減が行われ得る。時間遅延ｄｎに対して下記の関係式を使用し得る。
【００３５】
１．ｄｎ＝MAX＿DELAY＿IDLE・C1＋MIN＿DELAY＿IDLE
２．ｄｎ＝MAX＿DELAY＿IDLE・C2＋MIN＿DELAY＿IDLE  及び
３．ｄｎ＝MAX＿DELAY＿IDLE・C3＋MIN＿DELAY＿IDLE
４．ｄｎ＝MAX＿DELAY＿IDLE・C1・C2＋MIN＿DELAY＿IDLE
５．ｄｎ＝MAX＿DELAY＿IDLE・C1・C3＋MIN＿DELAY＿IDLE  及び
６．ｄｎ＝MAX＿DELAY＿IDLE・C2・C3＋MIN＿DELAY＿IDLE．
それに対して移動無線端末装置１が成功を以て同期化され得た無線チャネルに関して、ＧＳＭ勧告は、移動無線端末装置１の後続のアクションを規定しているがそれらは本発明にとって重要ではない。
【００３６】
次に移動無線端末装置１のさらに低減された電力消費を達成するためには時間遅延の決定をどのように改善するかに就いて説明する。本発明のその種の構成は、所属の無線チャネルの受信レベル変化に依存して既に少なくとも１度は計算された時間遅延ｄｎを適合化することに関する。ここで、時間遅延の適合化は、下記の関係式により行われる。
【００３７】
【数１】
0003955662.tif 000002
【００３８】
ｄｎ，ｎｅｗ＝無線チャネルｎに関する新たな時間遅延
ｄｎ，ｏｌｄ＝無線チャネルｎに関する先行の時間遅延
ｌｅｖｅｌｎ，ｏｌｄ＝移動無線端末装置内に記憶された無線チャネルｎに関す                      る先行の受信レベル
ｌｅｖｅｌｎ，ｎｅｗ＝無線チャネルｎに関する新しい受信レベル
ＭＡＸ＿ＬＥＶＥＬ＿ＧＳＭ＝上記参照
ＭＡＸ＿ＡＣＣ＿ＭＩＮ＝上記参照
ＭＡＸ＿ＤＥＬＡＹ＿ＩＤＬＥ＝上記参照
従って、２つの同期化試行間での受信測定の頻度如何により、受信レベル変化に依存して、先行の時間遅延値ｄｎ，ｏｌｄから１つの新たな時間遅延値ｄｎ，ｎｅｗを再帰的に決定できる。関係式から明らかなように、受信レベルの上昇の場合は、遅延の低減が生じ、受信レベルの低下の場合は遅延の増大が生じる。従って、受信レベル上昇の場合は、次の同期化試行までの持続時間は、短縮される。逆に、受信レベル上昇の場合は、次の同期化試行までの持続時間は延長される。新たな時間遅延値ｄｎ，ｎｅｗに対して上述の関係式により１つの負の値が算出される場合には、ｄｎ，ｎｅｗはゼロ値にセットされる、即ち、所属の無線チャネルｎへの即刻の同期化試行が行われる。
【００３９】
更に改善された時間遅延計算を、図２を用いて説明する。図２は、基地局（ＢＳｎ）を有する。セルラ移動無線網／セルラ移動無線システムの１つの無線セルを示す。基地局（ＢＳｎ）によりカバーされる領域は、半径ｒｎを有する１つの円により近似的に示されている。現実には、無線セルｎによりカバーされ、領域は、基地局（ＢＳｎ）の周囲と、また、降雨の場合における時間的に変化する無線状況に依存して、円形とは異なる形状を有する点Ａ，Ｂ，Ｃ，Ｄに沿った線は、無線セルｎを通る移動無線端末装置１の可能な経路を示す。移動無線端末装置１の速度はＶ及びＶｍで表されるベクトル矢印で示されている。Ｖは、運動方向での移動無線端末装置１の実際の速度を示す。速度成分Ｖｍは、測定され、そして移動無線端末装置１と基地局（ＢＳｎ）との間の相対速度とみなされる。Ｖｍの測定は例えば所謂ドップラ効果の評価により行われ得る。速度成分Ｖｍは、移動無線端末装置１の高い速度の場合、例えばアウトバーン（高速道路）上を走る車両にて使用の場合、概して実際速度Ｖに対する良好な近似をなす、それというのも、ある１つのアウトバーン領域をカバーすべき基地局は、それぞれのアウトバーンの近傍に位置定めされるからである。速度Ｖｍは、次のように時間遅延ｄｎの計算に関与する、即ち、速度が増大すると、時間遅延ｄｎが低減され、そして、速度が低減すると、時間遅延ｄｎが増大されるように関与する、殊に、速度Ｖｍは反比例的にＭＡＸ＿ＤＥＬＡＹ＿ＩＤＬＥに関与する。移動無線端末装置１の僅かな速度ＶないしＶｍの場合、時間遅延計算の際速度を考慮しなくてもよいようになり、その結果Ｖ及びＶｍの比較的大きな偏差も大した影響を及ぼさない。
【００４０】
図２における点Ａは、無線セルｎ内への移動無線端末装置の走入点を示す。区間ａｃｒを辿った後、点Ｂに到達し、該点Ｂは、無線セルｎ内にあり、そして、最適点（ここでは無線セルｎは"ｓｅｒｖｉｎｇ  ｃｅｌｌ"としての機能を引き受ける）を示すものである。区間ａｎの通過走行後、移動無線端末装置１は点Ｃに到達し、該点Ｃは、無線セルｎから隣接セルへの機能"ｓｅｒｖｉｎｇ  ｃｅｌｌ"の移行の最適点を成す。区間Ａｎの後、点Ｄに到達し、ここでは移動無線端末装置は無線セルを離脱する。
【００４１】
【発明の効果】
本発明によれば、従来の移動無線端末装置に比してそのエネルギ消費が低下し、それでもユーザにとって移動無線端末装置の機能が損なわれ得ない移動無線端末装置を実現することができたという効果が奏される。
【図面の簡単な説明】
【図１】  移動無線端末装置のブロック接続図。
【図２】  移動無線端末装置の通過する移動無線システムの１つの無線セルの概念図。
【符号の説明】
１          移動無線局
２          プログラムメモリ
３          リード／ライトメモリ
４          機能ユニット
５          制御ユニット
６          トランシーバ
７          アンテナ
８          Ａ／Ｄ変換器
９          Ｄ／Ａ変換器
１０        同期化手段
ＢＳｎ      基地局
ｒｎ        半径
【図１】
0003955662.tif 000003
【図２】
0003955662.tif 000004